(57)【要約】【課題】吸込具や延長管から離れ落ちた塵埃が本体係止部の上面に堆積してしまうことを十分に防止でき、吸込具や延長管から離れ落ちた塵埃によって本体係止部が傷ついてしまうことを十分に防止できる電気掃除機の提供。【解決手段】掃除機本体と、吸込具と、延長管と、ホースと、を備え、掃除機本体の後部には、掃除機本体から掃除機本体の後方に向かって延設されており、吸込具または延長管の不使用時に、吸込具または延長管が係止される本体係止部が設けられており、吸込具及び延長管のうちの少なくとも一方には、吸込具または延長管の不使用時に本体係止部に係止され、吸込具または延長管を掃除機本体に保持させる被係止部が設けられており、本体係止部には、本体係止部を上下方向に貫通する貫通孔が設けられている電気掃除機。【選択図】図２
2014113392.tif 000002
【特許請求の範囲】
【請求項１】
吸引風を発生させる電動送風機を内蔵する掃除機本体と、
被清掃面の塵埃を吸引する吸込具と、
一端が前記吸込具に接続される延長管と、
一端が前記延長管の他端に接続され、他端が前記掃除機本体に接続されるホースと、
を備え、
前記掃除機本体の後部には、前記掃除機本体から前記掃除機本体の後方に向かって延設されており、前記吸込具または前記延長管の不使用時に、前記吸込具または前記延長管が係止される本体係止部が設けられており、
前記吸込具及び前記延長管のうちの少なくとも一方には、前記吸込具または前記延長管の不使用時に前記本体係止部に係止され、前記吸込具または前記延長管を前記掃除機本体に保持させる被係止部が設けられており、
前記本体係止部には、前記本体係止部を上下方向に貫通する貫通孔が設けられている、電気掃除機。
【請求項２】
前記本体係止部には、前記本体係止部を上下方向に貫通する貫通孔が複数設けられている、請求項１に記載の電気掃除機。
【請求項３】
前記本体係止部は、前記掃除機本体の前後方向において、前記本体係止部の上面が前方から後方に向けて下方に傾斜している、請求項１または２に記載の電気掃除機。
【請求項４】
前記本体係止部の前記掃除機本体側の端部と前記本体係止部の前記掃除機本体とは反対側の端部との間には、前記本体係止部の上面の傾斜方向が変更される傾斜変更部が設けられており、
前記本体係止部は、前記掃除機本体の前後方向において、前記本体係止部の前記傾斜変更部よりも前方の上面が前方から後方に向かって下方に傾斜し、前記本体係止部の前記傾斜変更部よりも後方の上面が前方から後方に向かって上方に傾斜している、請求項１〜３のうちの何れか１項に記載の電気掃除機。
【請求項５】
前記本体係止部は、前記本体係止部の中央部が前記掃除機本体の上方に向けて凸状となるように湾曲している、請求項１〜４のうちの何れか１項に記載の電気掃除機。
【発明の詳細な説明】
【技術分野】
【０００１】
本発明は、電気掃除機に関する。
【背景技術】
【０００２】
従来の電気掃除機においては、使用者の使い勝手を向上させるべく、掃除機本体の後端面に形成した係止凹部に、延長管または吸込具に形成した被係止突部を挿入係止して、延長管及び吸込具を立て掛け状態に保持可能な電気掃除機が提案されている（例えば、特許文献１参照）。
【０００３】
図１８及び図１９に示すように、従来の電気掃除機２００は、掃除機本体２０１と、一端が掃除機本体２０１に連結される連結ホース２０２と、一端が連結ホース２０２の他端に連結される延長管２０３と、延長管２０３の他端に連結される吸込口体２０４（吸込具に相当）と、を有しており、延長管２０３または吸込具２０４にはＬ字状に突出する舌状突起（図示せず）が形成されたスタンドストッパ２０５が装着されている。掃除機本体２０１の後端面２０６の上部には、掃除機本体２０１の後端面２０６から上方視円弧状に膨張させた膨出部２０７（本体係止部に相当）が形成されており、この膨出部２０７の最突出部２０８と掃除機本体２０１の後端面２０６との間には、上方に開口するとともにスタンドストッパ２０５の舌状突起（図示せず）が挿入される袋状の係止凹部２０９が形成されている。
【０００４】
そして、図２０に示すように、上記従来の電気掃除機２００においては、掃除中に、使用者が掃除を中断して家具等を動かす際に、掃除機本体２０１に連結ホース２０２、延長管２０３、及び吸込口体２０４を連結したまま、舌状突起（図示せず）を係止凹部２０９に上方から挿入することで、係止凹部２０９に係止したスタンドストッパ２０５を介して、延長管２０３を略直立させて延長管２０３及び吸込口体２０４を掃除機本体２０１に立て掛けた状態で保持させることができるように構成されている。
【先行技術文献】
【特許文献】
【０００５】
【特許文献１】特開平６−２１７９０７号公報
【発明の概要】
【発明が解決しようとする課題】
【０００６】
しかしながら、上記従来の電気掃除機においては、掃除機本体の傷つきを防止するという観点からは未だ改善の余地があった。
【０００７】
一般的に、使用者が電気掃除機を使用して、被清掃面（特に絨毯）上を掃除した場合、吸込具と被清掃面との摩擦、及び、吸込具及び延長管の内壁と吸込具や延長管の内部を流れる塵埃と摩擦などによって静電気が発生する。そのため、この静電気によって、吸込具や延長管の外郭には被清掃面上の塵埃が付着しやすくなっており、吸込具や延長管の外郭には塵埃が付着している場合がある。
【０００８】
上記従来の電気掃除機において、使用者が吸込具または延長管を掃除機本体の後部に保持させる際、使用者は、吸込具または延長管を掃除機本体の後部へと移動させ、吸込具または延長管に装着されたスタンドストッパの舌状突起を掃除機本体に形成された係止凹部に挿入する。このとき、使用者が吸込具や延長管を係止凹部が形成された掃除機本体の膨出部に接触させることなく、スタンドストッパの舌状突起を係止凹部に挿入することがで
きれば問題ないが、使用者が吸込具や延長管を掃除機本体の後面や膨出部の上面に接触させながらスタンドストッパの舌状突起を係止凹部に挿入したり、使用者がスタンドストッパの舌状突起を掃除機本体の後面や膨出部の上面に接触させながらスタンドストッパの舌状突起を係止凹部に挿入したりした場合、吸込具または延長管と掃除機本体の膨出部との衝突やスタンドストッパの舌状突起と掃除機本体の膨出部との衝突による衝撃によって、吸込具や延長管に静電気によって付着していた塵埃が吸込具や延長管から膨出部の上面に離れ落ちてしまう。
【０００９】
上記従来の電気掃除機においては、掃除機本体に形成された膨出部には、スタンドストッパの舌状突起が挿入される係止凹部のみが形成されている構成であるため、吸込具または延長管と掃除機本体の膨出部との衝突やスタンドストッパの舌状突起と掃除機本体の膨出部との衝突による衝撃によって吸込具や延長管から離れ落ちた塵埃は、係止凹部が形成された膨出部の上面に堆積してしまうことになる。この状態において、使用者が吸込具や延長管を掃除機本体の後面や膨出部の上面に接触させながらスタンドストッパの舌状突起を係止凹部に挿入したり、使用者がスタンドストッパの舌状突起を掃除機本体の後面や膨出部の上面に接触させながらスタンドストッパの舌状突起を係止凹部に挿入したりした場合、膨出部の上面に堆積された塵埃が舌状突起と膨出部の上面との間に挟みこまれることになり、膨出部の上面に堆積した塵埃によって、膨出部の上面が傷ついてしまう場合があった。
【００１０】
本発明は、上記従来技術の有する課題に鑑みてなされたものであり、吸込具や延長管から離れ落ちた塵埃が本体係止部の上面に堆積してしまうことを十分に防止でき、吸込具や延長管から離れ落ちた塵埃によって本体係止部が傷ついてしまうことを十分に防止できる電気掃除機を提供することを目的とする。
【課題を解決するための手段】
【００１１】
上記従来技術の有する課題を解決するために、本発明は、吸引風を発生させる電動送風機を内蔵する掃除機本体と、被清掃面の塵埃を吸引する吸込具と、一端が吸込具に接続される延長管と、一端が延長管の他端に接続され、他端が掃除機本体に接続されるホースと、を備え、掃除機本体の後部には、掃除機本体から掃除機本体の後方に向かって延設されており、吸込具または延長管の不使用時に、吸込具または延長管が係止される本体係止部が設けられており、吸込具及び延長管のうちの少なくとも一方には、吸込具または延長管の不使用時に本体係止部に係止され、吸込具または延長管を掃除機本体に保持させる被係止部が設けられており、本体係止部には、本体係止部を上下方向に貫通する貫通孔が設けられている、電気掃除機としたものである。
【００１２】
上述のように、本発明の電気掃除機は、吸込具または延長管の不使用時に、吸込具及び延長管のうちの少なくとも一方に形成された被係止部が係止される本体係止部に、本体係止部を上下方向に貫通する貫通孔を形成したものである。
【００１３】
これにより、使用者が吸込具または延長管の不使用時に、吸込具や延長管を掃除機本体の後面や本体係止部の上面に接触させながら、被係止部を本体係止部に係止したり、被係止部を掃除機本体の後面や本体係止部の上面に接触させながら、被係止部を本体係止部に係止したりし、吸込具または延長管と本体係止部との衝突や被係止部と本体係止部との衝突による衝撃によって、吸込具や延長管に付着していた塵埃が吸込具や延長管から本体係止部の上面に離れ落ちた場合であっても、吸込具や延長管から本体係止部の上面に離れ落ちた塵埃を、本体係止部に設けた貫通孔から本体係止部の下方へと落下させることができる。そのため、吸込具や延長管から本体係止部の上面に離れ落ちた塵埃が本体係止部の上面に堆積してしまうことを十分に防止することができ、吸込具や延長管から離れ落ちた塵埃によって本体係止部が傷ついてしまうことを十分に防止できる。
【発明の効果】
【００１４】
本発明の電気掃除機によれば、吸込具や延長管から離れ落ちた塵埃が本体係止部の上面に堆積してしまうことを十分に防止でき、吸込具や延長管から離れ落ちた塵埃によって本体係止部が傷ついてしまうことを十分に防止できるようになる。
【図面の簡単な説明】
【００１５】
【図１】本発明の実施の形態１における電気掃除機の全体図
【図２】本発明の実施の形態１における掃除機本体の後方斜視図
【図３】本発明の実施の形態１における掃除機本体の上面図
【図４】本発明の実施の形態１における掃除機本体の側面図
【図５】本発明の実施の形態１における本体係止部の拡大図
【図６】（ａ）本発明の実施の形態１における延長管の側面図、（ｂ）本発明の実施の形態１における延長管の背面図
【図７】本発明の実施の形態１における本体係止部に被係止部を取り付けた状態を示す電気掃除機の全体図
【図８】本発明の実施の形態１における本体係止部に被係止部を係止する様子を示す部分拡大図
【図９】本発明の実施の形態１における掃除機本体の底面に被係止部を係止した状態を示す電気掃除機の全体図
【図１０】本発明の実施の形態２における掃除機本体の後方斜視図
【図１１】本発明の実施の形態２における掃除機本体の側面図
【図１２】本発明の実施の形態２における掃除機本体を図１０に示す矢印Ｃ方向からみた際の本体係止部を示す部分拡大図
【図１３】本発明の実施の形態３における掃除機本体の後方斜視図
【図１４】本発明の実施の形態３における掃除機本体の上面図
【図１５】本発明の実施の形態３における掃除機本体の側面図
【図１６】本発明の実施の形態３における本体係止部に被係止部を係止する様子を示す部分拡大図
【図１７】図１４に示す掃除機本体のＤ−Ｄ線での断面図
【図１８】従来の電気掃除機を示す全体斜視図
【図１９】従来の電気掃除機における掃除機本体の部分拡大図
【図２０】従来の電気掃除機における掃除機本体に延長管を略直立させて立て掛けた状態を示す全体斜視図
【発明を実施するための形態】
【００１６】
第１の発明は、吸引風を発生させる電動送風機を内蔵する掃除機本体と、被清掃面の塵埃を吸引する吸込具と、一端が吸込具に接続される延長管と、一端が延長管の他端に接続され、他端が掃除機本体に接続されるホースと、を備え、掃除機本体の後部には、掃除機本体から掃除機本体の後方に向かって延設されており、吸込具または延長管の不使用時に、吸込具または延長管が係止される本体係止部が設けられており、吸込具及び延長管のうちの少なくとも一方には、吸込具または延長管の不使用時に本体係止部に係止され、吸込具または延長管を掃除機本体に保持させる被係止部が設けられており、本体係止部には、本体係止部を上下方向に貫通する貫通孔が設けられている、電気掃除機としたものである。
【００１７】
これにより、使用者が吸込具または延長管の不使用時に、吸込具や延長管を掃除機本体の後面や本体係止部の上面に接触させながら、被係止部を本体係止部に係止したり、被係止部を掃除機本体の後面や本体係止部の上面に接触させながら、被係止部を本体係止部に係止したりし、吸込具または延長管と本体係止部との衝突や被係止部と本体係止部との衝
突による衝撃によって、吸込具や延長管に付着していた塵埃が吸込具や延長管から本体係止部の上面に離れ落ちた場合であっても、吸込具や延長管から本体係止部の上面に離れ落ちた塵埃を、本体係止部に設けた貫通孔から本体係止部の下方へと落下させることができる。そのため、吸込具や延長管から本体係止部の上面に離れ落ちた塵埃が本体係止部の上面に堆積してしまうことを十分に防止することができ、吸込具や延長管から離れ落ちた塵埃によって本体係止部が傷ついてしまうことを十分に防止できる。
【００１８】
第２の発明は、特に、第１の発明において、本体係止部には、本体係止部を上下方向に貫通する貫通孔が複数設けられている構成としたものである。
【００１９】
これにより、使用者が吸込具または延長管の不使用時に、掃除機本体の後部に形成された本体係止部に吸込具または延長管に設けられた被係止部を係止する際に、吸込具または延長管と本体係止部との衝突や被係止部と本体係止部との衝突によって、吸込具や延長管に付着していた塵埃が吸込具や延長管から本体係止部の上面に離れ落ちた場合であっても、吸込具や延長管から本体係止部の上面に離れ落ちた塵埃を、本体係止部に設けた複数の貫通孔から本体係止部の下方へと効率よく落下させることができる。そのため、吸込具や延長管から本体係止部の上面に離れ落ちた塵埃が本体係止部の上面に堆積してしまうことをさらに十分に防止することができ、吸込具や延長管から離れ落ちた塵埃によって本体係止部が傷ついてしまうことをさらに十分に防止できる。
【００２０】
第３の発明は、特に、第１または第２の発明において、本体係止部は、掃除機本体の前後方向において、本体係止部の上面が前方から後方に向けて下方に傾斜している構成としたものである。
【００２１】
これにより、使用者が吸込具または延長管の不使用時に、掃除機本体の後部に形成された本体係止部に吸込具または延長管に設けられた被係止部を係止する際に、吸込具または延長管と本体係止部との衝突や被係止部と本体係止部との衝突によって、吸込具や延長管に付着していた塵埃が吸込具や延長管から本体係止部の上面に離れ落ちた場合であっても、吸込具や延長管から本体係止部の上面に離れ落ちた塵埃を、本体係止部に設けた貫通孔から本体係止部の下方へと落下させることができるとともに、吸込具や延長管から本体係止部の上面に離れ落ちた塵埃を本体係止部の傾斜に沿って本体係止部の後方へと導くことができる。そのため、吸込具や延長管から本体係止部の上面に離れ落ちた塵埃が本体係止部の上面に堆積してしまうことをさらに十分に防止することができ、吸込具や延長管から離れ落ちた塵埃によって本体係止部が傷ついてしまうことをさらに十分に防止できる。
【００２２】
また、本体係止部の上面が前方から後方に向けて下方に傾斜する構成としたことにより、吸込具または延長管の不使用時に、使用者が本体係止部に被係止部を係止させる際、使用者は、本体係止部の上面の傾斜に沿って被係止部を移動させることで、本体係止部に被係止部を容易に係止でき、電気掃除機の使い勝手を向上させることができる。
【００２３】
第４の発明は、特に、第１〜第３の発明において、本体係止部の掃除機本体側の端部と本体係止部の掃除機本体とは反対側の端部との間には、本体係止部の上面の傾斜方向が変更される傾斜変更部が設けられており、本体係止部は、掃除機本体の前後方向において、本体係止部の傾斜変更部よりも前方の上面が前方から後方に向かって下方に傾斜し、本体係止部の傾斜変更部よりも後方の上面が前方から後方に向かって上方に傾斜している構成としたものである。
【００２４】
これにより、使用者が吸込具または延長管の不使用時に、掃除機本体の後部に形成された本体係止部に吸込具または延長管に設けられた被係止部を係止する際に、吸込具または延長管と本体係止部との衝突や被係止部と本体係止部との衝突によって、吸込具や延長管
に付着していた塵埃が吸込具や延長管から本体係止部の上面に離れ落ちた場合であっても、吸込具や延長管から本体係止部の上面に離れ落ちた塵埃を、本体係止部に設けた貫通孔から本体係止部の下方へと落下させることができる。そのため、吸込具や延長管から本体係止部の上面に離れ落ちた塵埃が本体係止部の上面に堆積してしまうことを十分に防止することができ、吸込具や延長管から離れ落ちた塵埃によって本体係止部が傷ついてしまうことを十分に防止できる。また、本体係止部は、掃除機本体の前後方向において、本体係止部の傾斜変更部よりも前方の上面が前方から後方に向かって下方に傾斜し、本体係止部の傾斜変更部よりも後方の上面が前方から後方に向かって上方に傾斜する構成としたことにより、吸込具や延長管から本体係止部の上面に離れ落ちた塵埃のうち、本体係止部に設けた貫通孔から本体係止部の下方へと落下せず、本体係止部の上面に堆積してしまった塵埃は、本体係止部の上面の傾斜に沿って傾斜変更部へと集められる。そのため、使用者は、本体係止部の傾斜変更部に堆積した塵埃を取り除くだけで、本体係止部の上面に残った塵埃を取り除くことができ、電気掃除機のメンテナンス性を向上させることができる。
【００２５】
第５の発明は、特に、第１〜第４の発明において、本体係止部は、本体係止部の中央部が掃除機本体の上方に向けて凸状となるように湾曲している構成としたものである。
【００２６】
これにより、使用者が吸込具または延長管の不使用時に、掃除機本体の後部に形成された本体係止部に吸込具または延長管に設けられた被係止部を係止する際に、吸込具または延長管と本体係止部との衝突や被係止部と本体係止部との衝突によって、吸込具や延長管に付着していた塵埃が吸込具や延長管から本体係止部の上面に離れ落ちた場合であっても、吸込具や延長管から本体係止部の上面に離れ落ちた塵埃を、本体係止部に設けた貫通孔から本体係止部の下方へと落下させることができるとともに、吸込具や延長管から本体係止部の上面に離れ落ちた塵埃を本体係止部の湾曲に沿って本体係止部の左右へと導くことができる。そのため、吸込具や延長管から本体係止部の上面に離れ落ちた塵埃が本体係止部の上面に堆積してしまうことをさらに十分に防止することができ、吸込具や延長管から離れ落ちた塵埃によって本体係止部が傷ついてしまうことをさらに十分に防止できる。
【００２７】
以下、図面を参照しながら本発明の電気掃除機の好適な実施形態について詳細に説明する。なお、以下の説明では、同一または相当部分には同一符号付し、重複する説明は省略する。
【００２８】
（実施の形態１）
本発明の電気掃除機の実施の形態１について、以下、図１〜図９を用いて説明する。
【００２９】
図１は、本発明の実施の形態１における電気掃除機の全体斜視図である。また、図２は、本発明の実施の形態１における掃除機本体の後方斜視図である。さらに、図３は、本発明の実施の形態１における掃除機本体の上面図である。また、図４は、本発明の実施の形態１における掃除機本体の側面図である。さらに、図５は、本発明の実施の形態１における本体係止部の拡大図である。また、図６（ａ）は、本発明の実施の形態１における延長管の側面図であり、図６（ｂ）は、本発明の実施の形態１における延長管の背面図である。
【００３０】
図１に示すように、電気掃除機１００は、吸引風を発生させる電動送風機（図示せず）を内蔵する掃除機本体１と、被清掃面の塵埃を吸引する吸込具２と、一端が吸込具２に着脱自在に接続される延長管３と、一端が延長管３の他端に着脱自在に接続され、他端が掃除機本体１に着脱自在に接続されるホース４と、から構成されている。
【００３１】
掃除機本体１は、吸引風を発生させる電動送風機（図示せず）と、電動送風機（図示せず）の上流側に配置されており、電動送風機（図示せず）で発生された吸引風によって吸
引された塵埃を捕集する集塵部（図示せず）と、商用電源に接続され、電動送風機（図示せず）に電源を供給するコードリールユニット（図示せず）と、を内蔵している。また、図２及び図３に示すように、掃除機本体１の後面には、電動送風機（図示せず）から掃除機本体１の内部に排出された排気風を掃除機本体１の外部へと排出する複数の開口を有する排気口部５が設けられている。
【００３２】
また、図１〜図４に示すように、掃除機本体１の後部には、左右一対の走行用の車輪６が掃除機本体１に回動自在に取り付けられている。また、掃除機本体１の底面の前方には、走行用のキャスター７が掃除機本体１に回動自在に取り付けられている。そして、掃除機本体１は、車輪６及びキャスター７が被清掃面Ｆ上を転がることで、被清掃面Ｆ上を移動するように構成されている。
【００３３】
図１〜図４に示すように、掃除機本体１の後部の上方には、吸込具２または延長管３の不使用時に、後述する被係止部１１が係止され、吸込具２または延長管３を掃除機本体１の後部に保持させる本体係止部８が形成されている。この本体係止部８は、掃除機本体１の後方に向かって突出するように、掃除機本体１の後部の上方から掃除機本体１の後方に向かって延設されている。ここで、本実施の形態においては、掃除機本体１のホース４が接続される側（図１、図３、及び図４中の矢印Ａ側）を「前」とし、その反対側（図１、図３、及び図４中の矢印Ｂ側）を「後」とする。また、本実施の形態において、左右方向は、掃除機本体１の前に向かって左右方向として規定される。
【００３４】
図５に示すように、本体係止部８には、後述する被係止部１１が係止される係止凹部９と、本体係止部８を上下方向に貫通する貫通孔１０と、が設けられている。
【００３５】
係止凹部９は、本体係止部８の後部（本体係止部８の掃除機本体１とは反対側）の中央部に形成されている。また、係止凹部９は、後述する被係止部１１に設けられた溝部１２と係合する左右一対のリブ体９ａと、後述する被係止部１１が係止凹部９に係止された際に、後述する被係止部１１の下端部と当接する底面部９ｂと、を備えている。
【００３６】
貫通孔１０は、本体係止部８の前部（本体係止部８の掃除機本体１側）の中央部に形成されている。ここで、本実施の形態においては、本体係止部８の前部の中央部に貫通孔１０が１つ設けられている構成について説明するが、貫通孔１０は、吸込具２または延長管３から本体係止部８の上面に離れ落ちた塵埃を本体係止部８の下方に落下させるように、本体係止部８を上下方向に貫通して形成されていればよく、貫通孔１０の形状、寸法、数、配置場所等については特に限定されない。
【００３７】
図１に示すように、吸込具２は、下面に塵埃を吸引する吸込口（図示せず）を有する吸込具本体２ａと、一端が吸込具本体２ａの後部に回動自在に取り付けられ、吸込口（図示せず）と連通する接続管２ｂと、から構成されており、接続管２ｂの他端には延長管３が着脱自在に接続される。
【００３８】
延長管３は、伸縮自在或いは継ぎ自在に形成されており、一端が接続管２ｂの他端に着脱自在に接続され、他端が後述するホース４の先端パイプ１３に着脱自在に接続される。また、図６（ａ）及び図６（ｂ）に示すように、延長管３の吸込具２側の端部には、本体係止部８に係止される被係止部１１が設けられている。
【００３９】
被係止部１１は、延長管３の吸込具２側の端部から延長管３の外側に向かって突出するように形成されている。また、被係止部１１には、被係止部１１が本体係止部８の係止凹部９に係止された際に、係止凹部９のリブ体９ａと係合する溝部１２が形成されている。溝部１２は、被係止部１１の左右に延長管３の軸方向と略同一方向となるように形成され
ている。そして、被係止部１１が係止凹部９に係止された状態において、被係止部１１の溝部１２と係止凹部９のリブ体９ａとが係合するとともに、被係止部１１の吸込具２側の端部と係止凹部９の底面部９ｂとが当接することで、延長管３が掃除機本体１の後部に保持されるように構成されている。
【００４０】
ホース４は、一端が延長管３の他端に着脱自在に接続されるとともに、他端が掃除機本体１の吸気口（図示せず）に着脱自在に接続される。ホース４の一端、すなわち、ホース４の延長管３側の端部には、掃除の際に使用者が保持する把持部１３ａを備えた先端パイプ１３が設けられている。また、ホース４の他端、すなわち、ホース４の掃除機本体１側の端部には、連結管１４が設けられている。そして、ホース４は、先端パイプ１３を介して延長管３と接続されるとともに、連結管１４を介して掃除機本体１の吸気口（図示せず）に接続される。
【００４１】
以上のように構成された電気掃除機１００について、図７〜図９を加えて、以下、その動作、作用を説明する。
【００４２】
図７は、本発明の実施の形態１における本体係止部に被係止部を取り付けた状態を示す電気掃除機の全体図である。また、図８は、本発明の実施の形態１における本体係止部に被係止部を係止する様子を示す部分拡大図である。さらに、図９は、本発明の実施の形態１における掃除機本体の底面に被係止部を係止した状態を示す電気掃除機の全体図である。
【００４３】
吸込具２、延長管３、及びホース４が掃除機本体１に接続し、コードリールユニット（図示せず）を商用電源に接続した状態で、使用者が先端パイプ１３の把持部１３ａを保持し、電気掃除機１００の運転を開始すると、電動送風機（図示せず）で吸引風が発生され、吸引力が発生する。この状態で、使用者が吸込具２を被清掃面Ｆ上で移動させると、吸込具２の吸込口（図示せず）から被清掃面Ｆ上の塵埃が空気とともに吸引される。吸込具２で吸引された塵埃は、空気とともに、延長管３及びホース４を介して掃除機本体１の吸気口（図示せず）から掃除機本体１の内部へと流入し、掃除機本体１の内部に配置された集塵部（図示せず）によって塵埃が捕集される。塵埃が捕集された後の空気は、電動送風機（図示せず）の内部へと流入し、掃除機本体１の内部へと排出され、その後、掃除機本体１の後面に形成された排気口部５から掃除機本体１の外部へと排出される。
【００４４】
図７及び図８に示すように、使用者が電気掃除機１００を使用して被清掃面Ｆ上を掃除している際に、掃除を中断して家具等を移動させる場合、すなわち、使用者が掃除中に吸込具２または延長管３を使用しない場合、使用者は、吸込具２、延長管３、及びホース４を掃除機本体１に接続したままの状態で、延長管３に設けられた被係止部１１を掃除機本体１に設けられた本体係止部８の係止凹部９に挿入し、係止させることで、吸込具２及び延長管３を掃除機本体１の後部に保持させた状態（図７に示す状態）で固定することができる。
【００４５】
具体的には、使用者が掃除中に掃除を中断して家具等を移動させる場合、使用者は、吸込具２、延長管３、及びホース４が掃除機本体１に接続されたままの状態で、吸込具２及び延長管３を掃除機本体１の後方へと移動させる。そして、使用者は、掃除機本体１の後部の上方に形成された本体係止部８の係止凹部９の上方から延長管３に設けられた被係止部１１を挿入する。使用者によって本体係止部８の係止凹部９に被係止部１１が挿入されると、係止凹部９に設けられたリブ体９ａと被係止部１１に設けられた溝部１２とが係合され、その後、係止凹部９の底面部９ｂと被係止部１１の吸込具２側の端部とが当接され、延長管３の被係止部１１が本体係止部８の係止凹部９に係止される。この構成により、使用者が掃除中に掃除を中断して家具等を移動させるために、掃除機本体１の後部に形成
された本体係止部８に延長管３に設けられた被係止部１１を係止させた場合、係止凹部９のリブ体９ａと被係止部１１の溝部１２との係合、及び、係止凹部９の底面部９ｂと被係止部１１の吸込具２側の端部との当接により、本体係止部８の係止凹部９に被係止部１１を保持させることができ、吸込具２、延長管３、及びホース４が掃除機本体１に接続されたままの状態で、掃除機本体１の後部に延長管３を保持させることができる。
【００４６】
ここで、使用者が電気掃除機１００を使用して、被清掃面Ｆ上（特に絨毯上）を掃除した場合、吸込具２と被清掃面Ｆとの摩擦、及び、吸込具２及び延長管３の内壁と吸込具２や延長管３の内部を流れる塵埃と摩擦などによって静電気が発生するため、この静電気によって、吸込具２や延長管３の外郭には被清掃面Ｆ上の塵埃が付着しやすくなっており、吸込具２や延長管３の外郭には塵埃が付着している場合がある。そのため、使用者が本体係止部８の係止凹部９に延長管３の被係止部１１を係止させる際、使用者が吸込具２や延長管３を掃除機本体１の後面の上部や本体係止部８の上面に接触させながら被係止部１１を本体係止部８の係止凹部９に挿入したり、使用者が被係止部１１を掃除機本体１の後面の上部や本体係止部８の上面に接触させながら被係止部１１を本体係止部８の係止凹部９に挿入したりした場合、吸込具２または延長管３と掃除機本体１の本体係止部８との衝突や被係止部１１と掃除機本体１の本体係止部８との衝突による衝撃によって、吸込具２や延長管３に静電気によって付着していた塵埃が吸込具２や延長管３から本体係止部８の上面に離れ落ちてしまう場合がある。
【００４７】
この状態において、使用者が吸込具２や延長管３を掃除機本体１の後面の上部や本体係止部８の上面に接触させながら被係止部１１を本体係止部８の係止凹部９に挿入したり、使用者が被係止部１１を掃除機本体１の後面の上部や本体係止部８の上面に接触させながら被係止部１１を本体係止部８の係止凹部９に挿入したりした場合、本体係止部８の上面に堆積した塵埃が本体係止部８の上面と被係止部１１との間に挟みこまれた状態で、本体係止部８の上面を被係止部１１が摺動することになるため、本体係止部８の上面に堆積した塵埃と本体係止部８の上面との摩擦、及び、本体係止部８の上面に堆積した塵埃と被係止部１１との摩擦により、本体係止部８の上面や被係止部１１が傷ついてしまう場合がある。
【００４８】
そこで、本実施の形態においては、本体係止部８に、本体係止部８を上下方向に貫通する貫通孔１０を形成している。この構成により、使用者が本体係止部８の係止凹部９に延長管３の被係止部１１を係止させる際、使用者が吸込具２や延長管３を掃除機本体１の後面の上部や本体係止部８の上面に接触させながら被係止部１１を本体係止部８の係止凹部９に挿入したり、使用者が被係止部１１を掃除機本体１の後面の上部や本体係止部８の上面に接触させながら被係止部１１を本体係止部８の係止凹部９に挿入したりし、吸込具２または延長管３と本体係止部８との衝突や被係止部１１と本体係止部８との衝突による衝撃によって、吸込具２や延長管３に付着していた塵埃が吸込具２や延長管３から本体係止部８の上面に離れ落ちた場合であっても、吸込具２や延長管３から本体係止部８の上面に離れ落ちた塵埃を、本体係止部８に設けた貫通孔１０から本体係止部８の下方へと落下させることができる。そのため、吸込具２や延長管３から本体係止部８の上面に離れ落ちた塵埃が本体係止部８の上面に堆積してしまうことを十分に防止することができ、吸込具２や延長管３から離れ落ちた塵埃によって本体係止部８が傷ついてしまうことを十分に防止できる。
【００４９】
また、本実施の形態においては、本体係止部８を上下方向に貫通するように本体係止部８に貫通孔１０を形成し、吸込具２または延長管３と本体係止部８との衝突や被係止部１１と本体係止部８との衝突による衝撃によって、吸込具２や延長管３から本体係止部８の上面に離れ落ちた塵埃を、本体係止部８に形成した貫通孔１０から本体係止部８の下方へと落下させるように構成しているため、吸込具２や延長管３から本体係止部８の上面に離
れ落ちた塵埃が本体係止部８の係止凹部９の内部に堆積してしまうことを十分に防止することができる。そのため、吸込具２や延長管３から本体係止部８の上面に離れ落ちた塵埃が係止凹部９の内部に堆積し、堆積した塵埃が係止凹部９と被係止部１１との間に入り込み、本体係止部８の係止凹部９と被係止部１１とが確実に係止できなくなることを十分に防止することができる。
【００５０】
図９に示すように、使用者が電気掃除機１００での掃除を終了し、電気掃除機１００を収納する際、使用者は、吸込具２、延長管３、及びホース４が掃除機本体１に接続されたままの状態で掃除機本体１を倒立させるとともに、掃除機本体１の底面に設けられた収納凹部（図示せず）に被係止部１１を挿入し、掃除機本体１の底面に延長管３を保持させることで、吸込具２、延長管３、及びホース４が掃除機本体１に接続されたままの状態で電気掃除機１００を収納することができる。ここで、掃除機本体１の倒立状態とは、掃除機本体１の後面に形成された排気口部５が被清掃面Ｆに対向するように配置された状態であり、図９に示す掃除機本体１の状態である。この状態において、掃除機本体１は、掃除機本体１の左右側面に配置された車輪６と、掃除機本体１の後部の上方に形成された本体係止部８の後面との三点によって支持されており、掃除機本体１を倒立状態とした際に、本体係止部８が支持部となるように形成されている。そのため、掃除機本体１の左右側面に配置された車輪６ととともに、掃除機本体１を倒立状態で支持するための支持部を別途設ける必要がなく、電気掃除機１００の部品点数を削減することができる。また、被係止部１１は、本体係止部８の係止凹部９及び掃除機本体１の底面に形成された収納凹部（図示せず）の両方に係止可能となるように形成されている。そのため、掃除機本体１の底面に形成された収納凹部（図示せず）に係止させ、掃除機本体１を倒立させて電気掃除機１００を収納するための構成を別途設ける必要がなく、電気掃除機１００の部品点数を削減することができる。
【００５１】
なお、本実施の形態においては、本体係止部８に貫通孔１０が１つ形成されている構成について説明したが、上述したように、貫通孔１０は、吸込具２または延長管３から本体係止部８の上面に離れ落ちた塵埃を本体係止部８の下方に落下させるように、本体係止部８を上下方向に貫通して形成されていればよく、貫通孔１０の形状、寸法、数、配置場所等については特に限定されないが、吸込具２や延長管３から本体係止部８の上面に離れ落ちた塵埃を本体係止部８の下方へ効率よく落下させるという観点では、本体係止部８を上下方向に貫通する貫通孔１０が本体係止部８に複数設けられていることが好ましい。
【００５２】
この構成により、使用者が本体係止部８に被係止部１１を係止する際に生じる吸込具２または延長管３と本体係止部８との衝突や被係止部１１と本体係止部８との衝突による衝撃によって、吸込具２や延長管３から本体係止部８の上面に離れ落ちた塵埃を、本体係止部８に形成した複数の貫通孔１０から本体係止部８の下方へと効率よく落下させることができるようになる。そのため、吸込具２や延長管３から本体係止部８の上面に離れ落ちた塵埃が本体係止部８の上面に堆積してしまうことをさらに十分に防止することができ、吸込具２や延長管３から離れ落ちた塵埃によって本体係止部８が傷ついてしまうことをさらに十分に防止できる。
【００５３】
また、吸込具２や延長管３から本体係止部８の上面に離れ落ちた塵埃を本体係止部８の下方へ効率よく落下させるという観点において、貫通孔１０は、少なくとも、本体係止部８に形成された係止凹部９の後端部と本体係止部８の掃除機本体１側の端部との間で、かつ、本体係止部８に形成された係止凹部９の左右方向の幅の範囲内に形成されていることが好ましい。本体係止部８に形成された係止凹部９の後端部と本体係止部８の掃除機本体１側の端部との間で、かつ、本体係止部８に形成された係止凹部９の左右方向の幅の範囲内は、使用者が本体係止部８の係止凹部９に被係止部１１を係止する際に最も被係止部１１が摺接しやすい部分となっている。そのため、少なくとも、本体係止部８に形成された
係止凹部９の後端部と本体係止部８の掃除機本体１側の端部との間で、かつ、本体係止部８に形成された係止凹部９の左右方向の幅の範囲内に貫通孔１０を設けることにより、吸込具２や延長管３から本体係止部８の上面に離れ落ちた塵埃が、使用者が本体係止部８の係止凹部９に被係止部１１を係止する際に最も被係止部１１が摺接しやすい部分に堆積してしまうことを防止することができ、吸込具２や延長管３から離れ落ちた塵埃によって本体係止部８が傷ついてしまうことを防止できる。
【００５４】
さらに、本実施の形態においては、本体係止部８に貫通孔１０のみを形成した構成について説明したが、吸込具２や延長管３から本体係止部８の上面に離れ落ちた塵埃が本体係止部８の上面に堆積してしまうことをさらに十分に防止するという観点からは、上記構成に加えて、掃除機本体１の左右方向において、本体係止部８の上面の中央部が掃除機本体１の上方に向けて凸状となるように湾曲して形成されていることが好ましい。
【００５５】
この構成により、使用者が本体係止部８の係止凹部９に延長管３の被係止部１１を係止させる際に、吸込具２または延長管３と本体係止部８との衝突や被係止部１１と本体係止部８との衝突による衝撃によって、吸込具２や延長管３から本体係止部８の上面に離れ落ちた塵埃を本体係止部８の上面の湾曲に沿って本体係止部８の左右へ落下させることができる。そのため、吸込具２や延長管３から本体係止部８の上面に離れ落ちた塵埃が本体係止部８の上面に堆積してしまうことをさらに十分に防止することができ、吸込具２や延長管３から離れ落ちた塵埃によって本体係止部８が傷ついてしまうことをさらに十分に防止できる。
【００５６】
（実施の形態２）
本発明の電気掃除機の実施の形態２について、以下、図１０〜図１２を用いて説明する。なお、上述した実施の形態１と同一構成部品については同一符号を付して、その説明を省略する。
【００５７】
図１０は、本発明の実施の形態２における掃除機本体の後方斜視図である。また、図１１は、本発明の実施の形態２における掃除機本体の側面図である。さらに、図１２は、本発明の実施の形態２における掃除機本体を図１０に示す矢印Ｃ方向からみた際の本体係止部を示す部分拡大図である。
【００５８】
図１０及び図１１に示すように、掃除機本体１の後部の上方には、吸込具２または延長管３の不使用時に、延長管３に形成された被係止部１１が係止され、延長管３を掃除機本体１の後部に保持させる本体係止部８が、掃除機本体１の後方に向かって突出するように、掃除機本体１の後部の上方から掃除機本体１の後方に向かって延設されている。また、本体係止部８の後部の中央部には、被係止部１１が係止される係止凹部９が設けられている。さらに、本体係止部８の前部の中央部には、本体係止部８を上下方向に貫通する貫通孔１０が複数設けられている。そして、本実施の形態では、本体係止部８は、掃除機本体１の前後方向において、本体係止部８の上面が前方から後方に向けて下方に傾斜するように形成されている。
【００５９】
以上のように構成された電気掃除機１００について、以下、その動作、作用を説明する。
【００６０】
使用者が電気掃除機１００を使用して、被清掃面Ｆ上（特に絨毯上）を掃除した場合、吸込具２と被清掃面Ｆとの摩擦や吸込具２及び延長管３の内壁と吸込具２や延長管３の内部を流れる塵埃との摩擦などによって静電気が発生し、この静電気によって、吸込具２や延長管３の外郭に被清掃面Ｆ上の塵埃が付着している場合がある。この状態において、使用者が吸込具２や延長管３を掃除機本体１の後面の上部や本体係止部８の上面に接触させ
ながら被係止部１１を係止凹部９に挿入したり、使用者が被係止部１１を掃除機本体１の後面の上部や本体係止部８の上面に接触させながら被係止部１１を係止凹部９に挿入したりした場合、吸込具２または延長管３と本体係止部８との衝突や被係止部１１と本体係止部８との衝突による衝撃によって、吸込具２や延長管３に静電気によって付着していた塵埃が吸込具２や延長管３から本体係止部８の上面に離れ落ちてしまう場合がある。この場合、本体係止部８の上面に堆積した塵埃と本体係止部８の上面及び被係止部１１との摩擦により、本体係止部８の上面や被係止部１１が傷ついてしまう場合がある。
【００６１】
そこで、本実施の形態においては、本体係止部８に、本体係止部８を上下方向に貫通する貫通孔１０を形成している。この構成により、使用者が本体係止部８の係止凹部９に延長管３の被係止部１１を係止させる際に、吸込具２または延長管３と本体係止部８との衝突や被係止部１１と本体係止部８との衝突による衝撃によって、吸込具２や延長管３に付着していた塵埃が吸込具２や延長管３から本体係止部８の上面に離れ落ちた場合であっても、吸込具２や延長管３から本体係止部８の上面に離れ落ちた塵埃を、本体係止部８に設けた貫通孔１０から本体係止部８の下方へと落下させることができる。そのため、吸込具２や延長管３から本体係止部８の上面に離れ落ちた塵埃が本体係止部８の上面に堆積してしまうことを十分に防止することができ、吸込具２や延長管３から離れ落ちた塵埃によって本体係止部８が傷ついてしまうことを十分に防止できる。
【００６２】
また、本実施の形態においては、本体係止部８は、掃除機本体１の前後方向において、本体係止部８の上面が前方から後方に向かって下方に傾斜するように形成されているため、使用者が本体係止部８の係止凹部９に延長管３の被係止部１１を係止させる際に、吸込具２または延長管３と本体係止部８との衝突や被係止部１１と本体係止部８との衝突による衝撃によって、吸込具２や延長管３から本体係止部８の上面に離れ落ちた塵埃を本体係止部８の上面の傾斜に沿って本体係止部８の後方へと落下させることができる。そのため、吸込具２や延長管３から本体係止部８の上面に離れ落ちた塵埃が本体係止部８の上面に堆積してしまうことをさらに十分に防止することができ、吸込具２や延長管３から離れ落ちた塵埃によって本体係止部８が傷ついてしまうことをさらに十分に防止できる。
【００６３】
さらに、本実施の形態においては、本体係止部８の後部に係止凹部９を形成しているとともに、本体係止部８は、掃除機本体１の前後方向において、本体係止部８の上面が前方から後方に向かって下方に傾斜するように形成されているため、本体係止部８の上面は、係止凹部９に向かうように前方から後方に下方へ傾斜した構成となる。そのため、使用者が延長管３に形成された被係止部１１を本体係止部８の上面に摺接させながら、本体係止部８の係止凹部９に延長管３の被係止部１１を係止させる場合、被係止部１１が本体係止部８の上面の傾斜に沿って係止凹部９に導かれるため、使用者は、本体係止部８の係止凹部９に被係止部１１を容易に挿入することができる。
【００６４】
なお、本実施の形態においては、掃除機本体１の前後方向において、本体係止部８の上面が前方から後方に向けて下方に傾斜するように本体係止部を形成した構成について説明したが、吸込具２や延長管３から本体係止部８の上面に離れ落ちた塵埃が本体係止部８の上面に堆積してしまうことをさらに十分に防止するという観点からは、図１２に示すように、上記構成に加えて、掃除機本体１の左右方向において、本体係止部８の上面の中央部が掃除機本体１の上方に向けて凸状となるように、すなわち、本体係止部８の上面が一定の曲率Ｒを有するように湾曲して形成されていることが好ましい。
【００６５】
この構成により、使用者が本体係止部８の係止凹部９に延長管３の被係止部１１を係止させる際に、吸込具２または延長管３と本体係止部８との衝突や被係止部１１と本体係止部８との衝突による衝撃によって、吸込具２や延長管３から本体係止部８の上面に離れ落ちた塵埃を本体係止部８の上面の傾斜及び湾曲に沿って本体係止部８の左右及び後方へ落
下させることができる。そのため、吸込具２や延長管３から本体係止部８の上面に離れ落ちた塵埃が本体係止部８の上面に堆積してしまうことをさらに十分に防止することができ、吸込具２や延長管３から離れ落ちた塵埃によって本体係止部８が傷ついてしまうことをさらに十分に防止できる。
【００６６】
（実施の形態３）
本発明の電気掃除機の実施の形態３について、以下、図１３〜図１７を用いて説明する。なお、上述した実施の形態１及び実施の形態２と同一構成部品については同一符号を付して、その説明を省略する。
【００６７】
図１３は、本発明の実施の形態３における掃除機本体の後方斜視図である。また、図１４は、本発明の実施の形態３における掃除機本体の上面図である。さらに、図１５は、本発明の実施の形態３における掃除機本体の側面図である。また、図１６は、本発明の実施の形態３における本体係止部に被係止部を係止する様子を示す部分拡大図である。さらに、図１７は、図１４に示す掃除機本体のＤ−Ｄ線での断面図である。
【００６８】
図１３〜図１６に示すように、掃除機本体１の後部の上方には、吸込具２または延長管３の不使用時に、延長管３に形成された被係止部１１が係止され、延長管３を掃除機本体１の後部に保持させる本体係止部８が、掃除機本体１の後方に向かって突出するように、掃除機本体１の後部の上方から掃除機本体１の後方に向かって延設されている。また、本体係止部８の後部の中央部には、被係止部１１が係止される係止凹部９が設けられている。さらに、本体係止部８の前部の中央部には、本体係止部８を上下方向に貫通する貫通孔１０が複数設けられている。
【００６９】
そして、本実施の形態おいては、本体係止部８の掃除機本体１側の端部と本体係止部８の掃除機本体１とは反対側の端部（本体係止部８の後端部）との間に、本体係止部８の上面の傾斜方向が変更される傾斜変更部１５が設けられている。本体係止部８の上面は、傾斜変更部１５を境界として、本体係止部８の傾斜変更部１５よりも前方の上面が前方から後方に向かって下方に傾斜し、本体係止部８の傾斜変更部１５よりも後方の上面が前方から後方に向かって上方に傾斜するように形成されている。すなわち、本体係止部８の上面は、掃除機本体１の前後方向の断面形状が略Ｖ字形状となるように形成されており、このＶ字形状の谷部が傾斜変更部１５となっている。また、貫通孔１０は、本体係止部８の傾斜変更部１５よりも前方の上面に形成されている。
【００７０】
以上のように構成された電気掃除機１００について、以下、その動作、作用を説明する。
【００７１】
使用者が電気掃除機１００を使用して、被清掃面Ｆ上（特に絨毯上）を掃除した場合、吸込具２と被清掃面Ｆとの摩擦や吸込具２及び延長管３の内壁と吸込具２や延長管３の内部を流れる塵埃との摩擦などによって静電気が発生し、この静電気によって、吸込具２や延長管３の外郭に被清掃面Ｆ上の塵埃が付着している場合がある。この状態において、使用者が吸込具２や延長管３を掃除機本体１の後面の上部や本体係止部８の上面に接触させながら被係止部１１を係止凹部９に挿入したり、使用者が被係止部１１を掃除機本体１の後面の上部や本体係止部８の上面に接触させながら被係止部１１を係止凹部９に挿入したりした場合、吸込具２または延長管３と本体係止部８との衝突や被係止部１１と本体係止部８との衝突による衝撃によって、吸込具２や延長管３に静電気によって付着していた塵埃が吸込具２や延長管３から本体係止部８の上面に離れ落ちてしまう場合がある。この場合、本体係止部８の上面に堆積した塵埃と本体係止部８の上面及び被係止部１１との摩擦により、本体係止部８の上面や被係止部１１が傷ついてしまう場合がある。
【００７２】
そこで、本実施の形態においては、本体係止部８に、本体係止部８を上下方向に貫通する貫通孔１０を形成している。この構成により、使用者が本体係止部８の係止凹部９に延長管３の被係止部１１を係止させる際に、吸込具２または延長管３と本体係止部８との衝突や被係止部１１と本体係止部８との衝突による衝撃によって、吸込具２や延長管３に付着していた塵埃が吸込具２や延長管３から本体係止部８の上面に離れ落ちた場合であっても、吸込具２や延長管３から本体係止部８の上面に離れ落ちた塵埃を、本体係止部８に設けた貫通孔１０から本体係止部８の下方へと落下させることができる。そのため、吸込具２や延長管３から本体係止部８の上面に離れ落ちた塵埃が本体係止部８の上面に堆積してしまうことを十分に防止することができ、吸込具２や延長管３から離れ落ちた塵埃によって本体係止部８が傷ついてしまうことを十分に防止できる。
【００７３】
また、本実施の形態においては、本体係止部８は、本体係止部８の上面が傾斜変更部１５を境界として、本体係止部８の傾斜変更部１５よりも前方の上面が前方から後方に向かって下方に傾斜し、本体係止部８の傾斜変更部１５よりも後方の上面が前方から後方に向かって上方に傾斜するように形成されているため、使用者が本体係止部８の係止凹部９に延長管３の被係止部１１を係止させる際に、吸込具２または延長管３と本体係止部８との衝突や被係止部１１と本体係止部８との衝突による衝撃によって、吸込具２や延長管３から本体係止部８の上面に離れ落ちた塵埃のうち、本体係止部８の貫通孔１０から本体係止部８の下方へ落下せずに本体係止部８の上面に堆積してしまった塵埃を、本体係止部８の上面の傾斜に沿って傾斜変更部１５へと集めることができる。そのため、使用者は、本体係止部８の傾斜変更部１５に堆積した塵埃を取り除くだけで、本体係止部８の上面に残った塵埃を取り除くことができ、電気掃除機１００のメンテナンス性を向上させることができる。
【００７４】
なお、本実施の形態においては、本体係止部８は、本体係止部８の上面が傾斜変更部１５を境界として、本体係止部８の傾斜変更部１５よりも前方の上面が前方から後方に向かって下方に傾斜し、本体係止部８の傾斜変更部１５よりも後方の上面が前方から後方に向かって上方に傾斜するように形成されている構成について説明したが、吸込具２や延長管３から本体係止部８の上面に離れ落ちた塵埃が本体係止部８の上面に堆積してしまうことをさらに十分に防止するという観点からは、図１７に示すように、上記構成に加えて、掃除機本体１の左右方向において、本体係止部８の上面の中央部が掃除機本体１の上方に向けて凸状となるように、すなわち、本体係止部８の上面が一定の曲率Ｒを有するように湾曲して形成されていることが好ましい。
【００７５】
この構成により、使用者が本体係止部８の係止凹部９に延長管３の被係止部１１を係止させる際に、吸込具２または延長管３と本体係止部８との衝突や被係止部１１と本体係止部８との衝突による衝撃によって、吸込具２や延長管３から本体係止部８の上面に離れ落ちた塵埃を本体係止部８に形成されて貫通孔１０から本体係止部８の下方へと落下させることができる。また、吸込具２や延長管３から本体係止部８の上面に離れ落ちた塵埃うち、貫通孔１０から本体係止部８の下方へと落下せず、本体係止部８の上面に堆積した塵埃を、本体係止部８の上面の湾曲に沿って本体係止部８の左右へと落下させることができる。さらに、本体係止部８の左右へと落下せず、本体係止部８の上面の傾斜に沿って本体係止部８の傾斜変更部１５へと集められた塵埃を、傾斜変更部１５の湾曲に沿って傾斜変更部１５の左右、すなわち、本体係止部８の左右へと落下させることができる。そのため、吸込具２や延長管３から本体係止部８の上面に離れ落ちた塵埃を本体係止部８の上面の傾斜及び湾曲に沿って本体係止部８の左右及び後方へ落下させることができ、吸込具２や延長管３から本体係止部８の上面に離れ落ちた塵埃が本体係止部８の上面に堆積してしまうことをさらに十分に防止することができるため、吸込具２や延長管３から離れ落ちた塵埃によって本体係止部８が傷ついてしまうことをさらに十分に防止できる。
【００７６】
ここで、上述ように、本体係止部８の傾斜変更部１５よりも前方の上面が前方から後方に向かって下方に傾斜し、本体係止部８の傾斜変更部１５よりも後方の上面が前方から後方に向かって上方に傾斜するように形成されている構成においては、本体係止部８の上面の全体が掃除機本体１の上方に向けて凸状となるように形成されていてもよく、傾斜変更部１５のみが掃除機本体１の上方に向けて凸状となるように形成されていてもよい。この構成においても、上述した効果と同様の効果を奏することができる。
【００７７】
以上、本発明の実施の形態１〜実施の形態３の電気掃除機について説明したが、本発明の電気掃除機は、上述した実施の形態１〜実施の形態３に限定されるものではない。
【００７８】
例えば、上述した実施の形態１〜実施の形態３においては、延長管３の吸込具２側の端部に被係止部１１を設けた構成について説明したが、被係止部１１は、吸込具２の接続管２ｂに設けられていてもよく、また、吸込具２の接続管２ｂ及び延長管３の両方に設けられていてもよい。この構成においても、上述した実施の形態１〜実施の形態３に記載の効果と同様の効果を奏することができる。
【産業上の利用可能性】
【００７９】
本発明の電気掃除機によれば、吸込具や延長管から離れ落ちた塵埃が本体係止部の上面に堆積してしまうことを十分に防止でき、吸込具や延長管から離れ落ちた塵埃によって本体係止部が傷ついてしまうことを十分に防止できる電気掃除機を提供することが可能となるので、家庭用電気掃除機及び産業用電気掃除機の分野・用途に好適に適用することができる。
【符号の説明】
【００８０】
１  掃除機本体
２  吸込具
３  延長管
４  ホース
５  排気口部
６  車輪
７  キャスター
８  本体係止部
９  係止凹部
９ａ  リブ体
９ｂ  底面部
１０  貫通孔
１１  被係止部
１２  溝部
１３  先端パイプ
１３ａ  把持部
１４  連結管
１５  傾斜変更部
１００  電気掃除機
【図２】
2014113392.tif 000003
【図３】
2014113392.tif 000004
【図４】
2014113392.tif 000005
【図５】
2014113392.tif 000006
【図６】
2014113392.tif 000007
【図７】
2014113392.tif 000008
【図８】
2014113392.tif 000009
【図９】
2014113392.tif 000010
【図１０】
2014113392.tif 000011
【図１１】
2014113392.tif 000012
【図１２】
2014113392.tif 000013
【図１３】
2014113392.tif 000014
【図１４】
2014113392.tif 000015
【図１５】
2014113392.tif 000016
【図１６】
2014113392.tif 000017
【図１７】
2014113392.tif 000018
【図１８】
2014113392.tif 000019
【図１９】
2014113392.tif 000020
【図２０】
2014113392.tif 000021
【図１】
2014113392.tif 000022